(57)【要約】【課題】回転機能に加えてプッシュ機能を持たせた場合であっても、部品点数の増加を伴わず、且つ、ポインタの発光状態を一定に確保できる入力装置を提供する。【解決手段】回転操作される回転ノブ１１０と、回転ノブの周方向の所定位置に設けられて、回転ノブの回転位置を示すために発光する発光レンズ１２０とを備える入力装置において、プッシュ操作されるノブキャップ１３０と、ノブキャップに連結された透明筒状の導光部１５０Ａと、導光部の一部が流用されて、プッシュスイッチ１６３のオン、オフを行うスライダ部１５１と、光を導光部の内部側へ出射させる光源部１６１と、導光部の軸方向の所定領域で、少なくとも発光レンズの回転範囲に対応するように導光部の周方向に渡って設けられ、プッシュ操作による導光部の軸方向の摺動位置にかかわらず、光源部からの光を屈折させて、発光レンズに出射する光調整部１５２とを設ける。【選択図】図２
2017112096.tif 000002
【特許請求の範囲】
【請求項１】
第１の入力項目を入力するために回転操作される回転ノブ（１１０）と、
前記回転ノブの周方向の所定位置に設けられて、前記回転ノブの回転位置を示すために発光する発光レンズ（１２０）と、を備える入力装置において、
前記回転ノブは、筒状に形成されており、
前記回転ノブの操作側の開口部に設けられ、第２の入力項目を入力するためにプッシュ操作されるノブキャップ（１３０）と、
前記ノブキャップの裏面側に配置され、前記ノブキャップに連結された透明筒状の導光部（１５０Ａ）と、
前記導光部の一部が流用されて、前記ノブキャップへの前記プッシュ操作に伴って、前記第２の入力項目を入力するためのプッシュスイッチ（１６３）のオン、オフを行うスライダ部（１５１）と、
前記導光部の前記ノブキャップとは反対側に配置されて、光を前記導光部の内部側へ出射させる光源部（１６１）と、
前記導光部の軸方向の所定領域で、少なくとも前記発光レンズの回転範囲に対応するように前記導光部の周方向に渡って設けられ、前記プッシュ操作による前記導光部の軸方向の摺動位置にかかわらず、前記光源部からの光を屈折させて、前記発光レンズに出射する光調整部（１５２）と、を備える入力装置。
【請求項２】
前記光調整部は、
筒状の前記導光部の内周側の面に対して所定の第１角度で傾斜して、前記光源部からの光を屈折させて周壁（１５０ａ）の内部に入射させる入射面（１５２ａ）と、
筒状の前記導光部の外周側の面に対して所定の第２角度で傾斜して、前記周壁の内部からの光を屈折させて前記発光レンズに出射する出射面（１５２ｂ）と、を有する請求項１に記載の入力装置。
【請求項３】
前記ノブキャップには、第２の入力項目に対応する意匠部（１３１ｂ〜１３４ｂ）が形成され、前記意匠部は、前記光源部によって発光されるようになっており、
前記導光部には、前記発光レンズの輝度に対して前記意匠部の輝度を所定輝度に設定する輝度調整部（１５３、１５４）が設けられた請求項１または請求項２に記載の入力装置。
【請求項４】
前記意匠部は、複数種類の意匠部から形成されており、
前記輝度調整部は、前記複数種類の意匠部の輝度が異なるように設定することを特徴とする請求項３に記載の入力装置。
【請求項５】
前記輝度調整部は、前記光源部からの光を屈折させて、前記意匠部側に出射する屈折部（１５３ａ、１５３ｂ、１５４ａ、１５４ｂ）によって形成された請求項３または請求項４に記載の入力装置。
【請求項６】
前記輝度調整部は、前記光源部からの光が入射する部位、および前記光源部からの光が出射する部位の少なくとも一方に設けられたシボ（１５３ｃ、１５４ｃ）によって形成された請求項３または請求項４に記載の入力装置。
【発明の詳細な説明】
【技術分野】
【０００１】
本発明は、回転ノブにポインタが設けられた回転操作式の入力装置に関するものである。
【背景技術】
【０００２】
従来の入力装置として、特許文献１に記載されたものが知られている。特許文献１の入力装置（ダイヤル式スイッチ）は、回転操作される回転ノブ（回動ノブ）と、回転ノブの周面の所定部位に設けられたレンズ部材と、回転ノブの内部側に設けられて、光源（ＬＥＤ）からの光をレンズ部材に出射する円筒状の導光部材とを備えている。これにより、光源からの光が導光部材で反射してレンズ部材に至り、レンズ部材は発光して、回転ノブにおける回動位置を判別するためのポインタ（ポジショナー）として機能するようになっている。
【先行技術文献】
【特許文献】
【０００３】
【特許文献１】特開２０１２−８４２４２号公報
【発明の概要】
【発明が解決しようとする課題】
【０００４】
近年、入力装置に対する多機能化の要望が強くなっている。例えば、従来技術の回転機能に対して、プッシュ機能を付加した場合を考えると、まず、回転ノブの操作者側の面にプッシュ操作を行うためのプッシュ部を設けることになる。そして、プッシュ部に連動してプッシュスイッチのオン、オフを行うスライダの設定が必要となる。
【０００５】
このようなスライダを新たに設けると部品点数の増加、入力装置の大型化を招いてしまうため、更に、プッシュ部と導光体とを連結させて、導光体の一部をスライダとして兼用することが考えられる。
【０００６】
しかしながら、このような場合では、プッシュ操作により導光体が軸方向に摺動するため、レンズ部材に対する光の進行方向が変わってしまい、レンズ部材（ポインタ）の発光状態を一定に保つことができなくなる。
【０００７】
本発明の目的は、上記問題に鑑み、回転機能に加えてプッシュ機能を持たせた場合であっても、部品点数の増加を伴わず、且つ、ポインタの発光状態を一定に確保できる入力装置を提供することにある。
【課題を解決するための手段】
【０００８】
本発明は上記目的を達成するために、以下の技術的手段を採用する。
【０００９】
本発明では、第１の入力項目を入力するために回転操作される回転ノブ（１１０）と、
回転ノブの周方向の所定位置に設けられて、回転ノブの回転位置を示すために発光する発光レンズ（１２０）と、を備える入力装置において、
回転ノブは、筒状に形成されており、
回転ノブの操作側の開口部に設けられ、第２の入力項目を入力するためにプッシュ操作されるノブキャップ（１３０）と、
ノブキャップの裏面側に配置され、ノブキャップに連結された透明筒状の導光部（１５０Ａ）と、
導光部の一部が流用されて、ノブキャップへのプッシュ操作に伴って、第２の入力項目を入力するためのプッシュスイッチ（１６３）のオン、オフを行うスライダ部（１５１）と、
導光部のノブキャップとは反対側に配置されて、光を導光部の内部側へ出射させる光源部（１６１）と、
導光部の軸方向の所定領域で、少なくとも発光レンズの回転範囲に対応するように導光部の周方向に渡って設けられ、プッシュ操作による導光部の軸方向の摺動位置にかかわらず、光源部からの光を屈折させて、発光レンズに出射する光調整部（１５２）と、を備えることを特徴としている。
【００１０】
この発明によれば、プッシュスイッチ（１６３）をオン、オフするためのスライダ部（１５１）を、導光部（１５０Ａ）の一部を流用して形成するようにしているので、部品点数を増加させずに、回転操作機能に加えてプッシュ操作機能を持たせることができる。
【００１１】
そして、導光部に光調整部（１５２）を設けるようにしているので、プッシュ操作によって導光部が摺動しても、導光部の摺動位置にかかわらず、発光レンズ（１２０）に出射される光量を維持して、発光レンズの発光状態を一定に保つことができる。
【００１２】
尚、上記各手段の括弧内の符号は、後述する実施形態記載の具体的手段との対応関係を示すものである。
【図面の簡単な説明】
【００１３】
【図１】入力装置を示す正面図である。
【図２】第１実施形態における図１のII−II部を示す断面図である。
【図３】第１実施形態における入力装置を示す断面斜視図である。
【図４】第１実施形態の導光部を示す斜視図１である。
【図５】第１実施形態の導光部を示す斜視図２である。
【図６】第１実施形態の導光部を示す斜視図３である。
【図７】第１実施形態の導光部を示す斜視図４である。
【図８】第１実施形態における光源部からの光の出射状態を示す説明図である。
【図９】第２実施形態の導光部を示す斜視図１である。
【図１０】第２実施形態の導光部を示す斜視図２である。
【図１１】第２実施形態の導光部を示す斜視図３である。
【図１２】第２実施形態の導光部を示す斜視図４である。
【図１３】第２実施形態における光源部からの光の出射状態を示す説明図である。
【図１４】第３実施形態の導光部を示す斜視図１である。
【図１５】第３実施形態の導光部を示す斜視図２である。
【図１６】第３実施形態の導光部を示す斜視図３である。
【図１７】第３実施形態の導光部を示す斜視図４である。
【図１８】第４実施形態における光源部の設定位置を示す説明図である。
【図１９】第４実施形態の導光部を示す斜視図１である。
【図２０】第４実施形態の導光部を示す斜視図２である。
【図２１】第４実施形態の導光部を示す斜視図３である。
【図２２】第４実施形態の導光部を示す斜視図４である。
【発明を実施するための形態】
【００１４】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１５】
（第１実施形態）
第１実施形態の入力装置１００について、図１〜図８を用いて説明する。入力装置１００は、例えば、車両用の空調装置に適用されている。入力装置１００は、所定の制御項目の設定値を変更（入力）するための装置となっており、車両のインストルメントパネルの例えば左右方向の中央部に設けられている。入力装置１００は、図１〜図３に示すように、例えば、吹出し風量を変更するための風量入力部１００Ａ、空調空気の設定温度を変更するための温度入力部１００Ｂ、および空調風の吹出しモードを変更するためのモード入力部１００Ｃを備えている。各入力部１００Ａ〜１００Ｃは、左右方向に並ぶように配置されている。
【００１６】
入力装置１００において、各入力部１００Ａ〜１００Ｃは、それぞれ、回転操作による入力と、プッシュ操作による入力とが可能となっている。各入力部１００Ａ〜１００Ｃは、操作者側（ノブキャップ１３０）の意匠が異なっているが、基本的な構造は同一となっており、構成の詳細については、以下、入力部１００Ｂを代表して説明する。
【００１７】
入力装置１００（入力部１００Ｂ）は、ケーシング１０１、基板１０２、ホルダ１０３、回転ノブ１１０、発光レンズ１２０、ノブキャップ１３０、連結部１４０、導光部１５０Ａ、および光源部１６１、１６２等を備えている。
【００１８】
ケーシング１０１は、箱状の部材であり、操作者側の面がパネル面１０１ａとなっている。ケーシング１０１の内部には、パネル面１０１ａから所定寸法だけ離れた位置で、パネル面１０１ａと平行となるように配置された基板１０２が設けられている。
【００１９】
そして、基板１０２のパネル面１０１ａ側には、ホルダ１０３が固定されている。ホルダ１０３は、筒状を成す部材である。ホルダ１０３の基板１０２側となる筒の外側部には、後述するギヤ用筒部１１３を回転可能に支持する受け部１０３ａが設けられている。また、ホルダ１０３の筒の内側には、後述する収容部１４１、およびインジケータ用導光部１４２の基板１０２側を、外周壁と共に取り囲む内壁部１０３ｂが設けられている。
【００２０】
尚、回転ノブ１１０、発光レンズ１２０、およびノブキャップ１３０、連結部１４０は、パネル面１０１ａに対して操作者側に配置され、また、他の部材は、回転ノブ１１０の内部およびケーシング１０１の内部に配置されている。
【００２１】
回転ノブ１１０は、扁平筒状に形成されており、第１の入力項目を入力するために操作者によって回転操作される部材となっている。入力部１００Ｂにおいて、第１の入力項目は、空調空気の設定温度に対応する。尚、入力部１００Ａにおける第１の入力項目は、吹出し風量に対応し、入力部１００Ｃにおける第１の入力項目は、空調風の吹出しモードに対応する。
【００２２】
回転ノブ１１０の先端側の外周面には、この外周面から突出して周方向に延びる凸部が回転軸方向に複数、並ぶように設けられている。複数の凸部は、操作者が回転ノブ１１０を回転操作する際のつまみ部となっている。そして、回転ノブ１１０の操作者側の開口部周囲には、筒状のリング部１１１が設けられている。また、回転ノブ１１０の内周面には、回転軸方向の中間部からケーシング１０１の内部に至る筒状の延設部１１２が接続されている。更に、延設部１１２の内周面には、延設部１１２の軸方向中間部からケーシング１０１の基板１０２側に延びる筒状のギヤ用筒部１１３が接続されている。ギヤ用筒部１１３は、自身の周面に形成された係止孔に、延設部１１２の係止爪１１２ａが係止されることで延設部１１２に接続（固定）されている。ギヤ用筒部１１３の軸方向の中間位置の周面には、ギヤ１１４が形成されている。
【００２３】
ギヤ用筒部１１３の基板１０２側となる軸方向端部は、基板１０２に固定されたホルダ１０３の受け部１０３ａによって軸方向の位置が規制され、且つ、回転可能に支持されている。よって、上記のリング部１１１、延設部１１２、ギヤ用筒部１１３、およびギヤ１１４は、回転ノブ１１０と共に回転可能となっている。
【００２４】
尚、ギヤ１１４には、ギヤ１１４の回転状態を基にして回転ノブ１１０の回転状態（回転位置）を検出する位置検出機構が設けられており、位置検出機構によって検出された回転ノブ１１０の回転位置信号は、空調装置の制御部へ出力されるようになっている。
【００２５】
発光レンズ１２０は、回転ノブ１１０の回転位置を操作者に対して示すための発光部材となっている。発光レンズ１２０は、回転ノブ１１０の回転軸方向に延びる板状の部材となっており、回転ノブ１１０の開口側において、周方向の所定位置に形成された切欠き部に収容、固定されて、回転ノブ１１０と共に回転するようになっている。
【００２６】
発光レンズ１２０は、回転ノブ１１０の開口側の角部でその表面が外部に露出され、また、回転ノブ１１０の内部において、リング部１１１と延設部１１２との間でその表面が内部に露出されている。尚、発光レンズ１２０は、例えば、透明な樹脂材から形成されており、外部に露出する部位の表面に、白色の樹脂材が２色成形により層を成すように設けられている。よって、本実施形態では、発光レンズ１２０は、操作者に対して白色に発光するようになっている。
【００２７】
ノブキャップ１３０は、回転ノブ１１０の操作者側の開口を塞ぐように設けられた円板状の部材である。ノブキャップ１３０は、第２の入力項目を入力するために操作者によってプッシュ操作される部材となっている。入力部１００Ｂにおいて、第２の入力項目は、空調装置をオン、あるいはオフする項目となっている。尚、入力部１００Ａにおける第２の入力項目は、内気循環モードをオン、あるいはオフにする項目となっており、入力部１００Ｃにおける第２の入力項目は、リヤデフロスタをオン、あるいはオフにする項目となっている。
【００２８】
ノブキャップ１３０の操作者側の面には、複数種類の意匠部が設けられている。複数種類の意匠部は、第１意匠部１３１ｂ、第２意匠部１３２ｂ、第３意匠部１３３ｂ、および第４意匠部１３４ｂである。
【００２９】
第１意匠部１３１ｂは、ノブキャップ１３０の中心部に設けられて、空調装置（冷凍サイクル）をオンするためのものであることを示す意匠となっている。また、第２意匠部１３２ｂは、ノブキャップ１３０の外周側の円弧領域に設けられて、低温側の温度範囲を示す意匠となっている。また、第３意匠部１３３ｂは、ノブキャップ１３０の外周側で、第２意匠部１３２ｂと連続する円弧領域に設けられて、高温側の温度範囲を示す意匠となっている。更に、第４意匠部１３４ｂは、第２意匠部１３２ｂの下側（最大低温側）の近傍に設けられて、最大冷房状態を示す意匠となっている。
【００３０】
各意匠部１３１ｂ〜１３４ｂは、遮光性のノブキャップ１３０に対して、透光性を持つように形成されており、光源部１６１によって発光されるようになっている。各意匠部１３１ｂ〜１３４ｂは、それぞれ所定の色で着色されており、ここでは、第１、第４意匠部１３１ｂ、１３４ｂは白色に発光され、また、第２意匠部１３２ｂは青色に発光され、更に、第３意匠部１３３ｂは赤色に発光されるようになっている。
【００３１】
尚、入力部１００Ａのノブキャップ１３０には、中心部において内気循環モードをオンにするためのものであることを示す意匠部１３１ａと、外周側の円弧領域において風量を示すための意匠部１３２ａとが設けられている。また、入力部１００Ｃのノブキャップ１３０には、中心部においてリヤデフロスタをオンにするためのものであることを示す意匠部１３１ｃと、外周側の円弧領域において吹出しモードを示すための意匠部１３２ｃが設けられている。
【００３２】
また、ノブキャップ１３０の第１意匠部１３１ｂの下側に対応する位置には、ノブキャップ１３０の板厚方向に貫通される貫通孔１３４が形成されている。
【００３３】
そして、ノブキャップ１３０の裏側の面には、ノブキャップ１３０よりも外径が多少小さく設定された筒状を成して、筒部の軸方向端部の一方側にフランジ部が形成された受け部１３５が設けられている。受け部１３５のフランジ部は、ノブキャップ１３０の裏側の面に接続（固定）されている。
【００３４】
連結部１４０は、ノブキャップ１３０および受け部１３５と、導光部１５０Ａとを一体的に連結する部材である。連結部１４０は、扁平な筒状を成しており、連結部１４０の軸方向のノブキャップ１３０側の外周面が、受け部１３５の内周面に接続されている。また、連結部１４０には、ノブキャップ１３０の貫通孔１３４に対応する位置に、基板１０２側に延びる筒状の収容部１４１が一体的に形成されている。
【００３５】
そして、収容部１４１内には、棒状を成して、基板１０２側に延びるインジケータ用導光部１４２が挿入されている。インジケータ用導光部１４２のノブキャップ１３０側の先端部は、貫通孔１３４に挿入されて、ノブキャップ１３０の表面においてインジケータ部１４２ａを形成している。また、連結部１４０の軸方向の基板１０２側の端部には、係止爪１４３が形成されている。
【００３６】
導光部１５０Ａ（図４〜図７）は、透明な部材であり、筒状を成す周壁１５０ａと、周壁１５０ａの内側領域で、軸方向のノブキャップ１３０側となる部位に設けられて軸方向に直交する板面部１５５とを有している。板面部１５５においては、収容部１４１、およびインジケータ用導光部１４２に対応する位置に、開口部１５５ａが形成されている。
【００３７】
導光部１５０Ａは、ノブキャップ１３０の裏面側に配置されて、軸方向の一端側（ノブキャップ１３０側）に設けられた係止孔に、連結部１４０の係止爪１４３が係止されて、連結部１４０に接続されている。導光部１５０Ａの軸方向の他端側は、基板１０２側に向けて延びている。連結部１４０の収容部１４１、およびインジケータ用導光部１４２は、開口部１５５ａに挿通されて、収容部１４１、およびインジケータ用導光部１４２の一部（基板１０２側）が、導光部１５０Ａの内部に入り込んでいる。
【００３８】
そして、導光部１５０Ａには、周壁１５０ａの一部を流用して形成されたスライダ部１５１が設けられている。スライダ部１５１は、例えば、収容部１４１と隣接する位置に形成されている。スライダ部１５１は、ノブキャップ１３０に対するプッシュ操作に基づいて、プッシュスイッチ１６３に対して摺動して、プッシュスイッチ１６３のオン、オフを行う部位となっている。ノブキャップ１３０に操作者の手が触れられていないときに、スライダ部１５１の先端部は、プッシュスイッチ１６３に当接する位置になるように設定されている。
【００３９】
導光部１５０Ａの基板１０２側は、ホルダ１０３の筒部内に挿入されている。また、収容部１４１、およびインジケータ用導光部１４２の基板１０２側は、ホルダ１０３の外周壁と内壁部１０３ｂとの間に挿入されている。
【００４０】
周壁１５０ａの外周面には、例えば、軸方向に延びる軸方向凸部１５０ｂが周方向に複数形成され、また、ホルダ１０３の内周面には、軸方向凸部１５０ｂを軸方向にガイドするレール状の軸方向凹部が形成されている。この軸方向凸部１５０ｂと軸方向凹部とによって、導光部１５０Ａは、ホルダ１０３に対して、軸周りの回転が規制され、且つ軸方向に摺動可能となるように支持されている。
【００４１】
よって、順に連結されたノブキャップ１３０、受け部１３５、連結部１４０、および導光部１５０Ａ（スライダ部１５１）は、ノブキャップ１３０がプッシュ操作されることで、非回転状態で、一体的に軸方向に摺動可能となっている。
【００４２】
そして、導光部１５０Ａの周壁１５０ａに光調整部１５２が設けられている。また、導光部１５０Ａの板面部１５５に輝度調整部１５３、１５４が設けられている。
【００４３】
光調整部１５２は、周壁１５０ａにおいて、軸方向の所定領域、ここではノブキャップ１３０側で、且つ、少なくとも発光レンズ１２０の回転範囲に対応するように周方向に渡って設けられている。光調整部１５２は、ノブキャップ１３０に対するプッシュ操作による導光部１５０Ａの軸方向の摺動位置にかかわらず（どの摺動位置であっても）、光源部１６１からの光を屈折させて、発光レンズ１２０に出射する部位となっている。
【００４４】
具体的には、光調整部１５２は、入射面１５２ａと、出射面１５２ｂとを有している。光源部１６１からの光が、入射面１５２ａ、出射面１５２ｂ、および発光レンズ１２０に至る領域には、障害となる部材の配置は一切ない。
【００４５】
入射面１５２ａは、周壁１５０ａの内周面に対して所定の第１角度で傾斜して、光源部１６１からの光を屈折させて周壁１５０ａの内部に入射させる部位となっている。第１角度は、例えば、周壁１５０ａの内周面に対して、基板１０２側に向かう程、内径が大きくなるように傾斜した面となっている。
【００４６】
また、出射面１５２ｂは、周壁１５０ａの外周面に対して所定の第２角度で傾斜して、周壁１５０ａの内部からの光を屈折させて発光レンズ１２０に出射する部位となっている。第２角度は、例えば、導光部１５０Ａの周壁１５０ａの外周面に対して、基板１０２側に向かう程、外径が大きくなるように傾斜した面となっている。
【００４７】
一方、輝度調整部１５３、１５４は、光源部１６１によって発光される発光レンズ１２０、および各意匠部１３１ｂ〜１３４ｂにおいて、発光レンズ１２０の輝度に対して、複数の意匠部１３１ｂ〜１３４ｂの輝度を所定の輝度に設定する部位となっている。
【００４８】
輝度調整部１５３は、第１意匠部１３１ｂの輝度を設定するためのものであり、導光部１５０Ａ（板面部１５５）の径方向の中心位置に設けられている。輝度調整部１５３は、軸線に交差（直交）する板状の部材で、板面部１５５よりも光源部１６１側に配置されており、光源部１６１側の面が、凹レンズのごとく窪んで形成された入射面１５３ａとなっている。そして、輝度調整部１５３のノブキャップ１３０側の面が、平坦な出射面１５３ｂとなっている。入射面１５３ａ、および出射面１５３ｂの形状を予め決定することで、この入射面１５３ａ、および出射面１５３ｂで屈折して、第１意匠部１３１ｂへ到達しうる光源部１６１の光量が所望の光量に設定されるようになっている。つまり、第１意匠部１３１ｂの輝度が、所望の輝度（第１輝度）になるように予め設定されている。
【００４９】
また、輝度調整部１５４は、第２意匠部１３２ｂ、第３意匠部１３３ｂ、および第４意匠部１３４ｂの輝度を設定するためのものであり、導光部１５０Ａの内部（板面部１５５）において、輝度調整部１５３の外周側に設けられている。輝度調整部１５４は、ノブキャップ１３０側から基板１０２側に向けて内径が小さくなるような半割りの筒状部材となっている。つまり、輝度調整部１５４は、第２意匠部１３２ｂ、第３意匠部１３３ｂ、および第４意匠部１３４ｂの位置に対応するように漏斗状の部材を半割りにした形状となっている。
【００５０】
輝度調整部１５４において、光源部１６１側の面が、入射面１５４ａとなっており、ノブキャップ１３０側の面が出射面１５４ｂとなっている。入射面１５４ａ、および出射面１５４ｂの角度を予め決定することで、この入射面１５４ａ、出射面１５４ｂで屈折して、第２意匠部１３２ｂ、第３意匠部１３３ｂ、および第４意匠部１３４ｂへ到達しうる光源部１６１の光量が所望の光量に設定されるようになっている。つまり、第２意匠部１３２ｂ、第３意匠部１３３ｂ、および第４意匠部１３４ｂの輝度が所望の輝度（第２輝度）になるように予め設定されている。
【００５１】
尚、輝度調整部１５３、１５４における入射面１５３ａ、１５４ａ、および出射面１５３ｂ、１５４ｂは、本発明の屈折部に対応する。
【００５２】
光源部１６１は、発光レンズ１２０、および各意匠部１３１ｂ〜１３４ｂを発光させるもので、例えばＬＥＤが使用されている。光源部１６１は、導光部１４０Ａのノブキャップ１３０とは反対側、つまり、基板１０２のノブキャップ１３０側の面に設けられており、ノブキャップ１３０の中心位置に対応するように配置されている。光源部１６１は、車両の作動時（イグニッションスイッチオン時）において、常時、点灯状態とされるようになっている。
【００５３】
光源部１６２は、インジケータ部１４２ａ（インジケータ用導光部１４２）を発光させるもので、例えばＬＥＤが使用されている。光源部１６２は、基板１０２のノブキャップ１３０側の面に設けられており、インジケータ用導光部１４２の位置に対応するように配置されている。光源部１６２は、ノブキャップ１３０がプッシュ操作されたとき（オン操作されたとき）に、点灯状態となり、再びプッシュ操作されたとき（オフ操作されたとき）に消灯状態とされるようになっている。
【００５４】
尚、光源部１６２から出射される光は、ホルダ１０３の外周壁、および内壁部１０３ｂによって、他の領域に漏れないようになっている。
【００５５】
プッシュスイッチ１６３は、ノブキャップ１３０へのプッシュ操作に伴って、入力部（温度入力部１００Ｂ）に対応する機能部（冷凍サイクル）をオン、あるいはオフにするスイッチとなっている。プッシュスイッチ１６３は、基板１０２のノブキャップ１３０側の面に設けられており、スライダ部１５１の位置に対応するように配置されている。プッシュスイッチ１６３は、ノブキャップ１３０へのプッシュ操作に連動して摺動するスライダ部１５１によって、オン、オフの切替えが行われるようになっている。プッシュスイッチ１６３は、プッシュ操作により押込まれたのちに、操作者の手が離れると、スライダ部１５１に対して、プッシュ方向とは逆側の反力を与えるようになっている。
【００５６】
以上のように構成される入力装置１００の作動、および作用効果について、図８を加えて説明する。
【００５７】
車両のイグニッションスイッチがオンされると、光源部１６１が点灯される。操作者がノブキャップ１３０に対してプッシュ操作すると、ノブキャップ１３０に連動して導光部１５０Ａおよびスライダ部１５１が摺動して、スライダ部１５１によってプッシュスイッチ１６３がオン状態となる。すると、光源部１６２が点灯され、その入力部（温度入力部１００Ｂ）の入力項目に対応する空調装置の機能部（冷凍サイクル）が作動状態となる。光源部１６２の点灯により、光源部１６２から出射される光は、インジケータ用導光部１４２を介してインジケータ部１４２ａに至り、インジケータ部１４２ａが発光されることになる。
【００５８】
再び、操作者がノブキャップ１３０に対してプッシュ操作すると、同様にノブキャップ１３０に連動して導光部１５０Ａおよびスライダ部１５１が摺動して、スライダ部１５１によってプッシュスイッチ１６３がオフ状態となる。すると、光源部１６２が消灯され、その入力部（温度入力部１００Ｂ）の入力項目に対応する空調装置の機能部（冷凍サイクル）が停止状態となる。光源部１６２の消灯により、インジケータ部１４２ａが消灯されることになる。
【００５９】
ノブキャップ１３０は、プッシュ操作されるとプッシュスイッチ１６３側に押込まれて、手を離すとプッシュスイッチ１６３から反力が与えられて、もとの位置に戻るようになっている。
【００６０】
一方、光源部１６１の点灯により、図８に示すように、光調整部１５２を介して発光レンズ１２０が発光され、回転ノブ１１０の回転位置が表示される。また、光源部１６１の点灯により、輝度調整部１５３、１５４を介して各意匠部１３１ｂ〜１３４ｂが発光される。
【００６１】
具体的には、光源部１６１からの光の一部は、光調整部１５２に至り、周壁１５０ａに対して傾斜するように形成された入射面１５２ａ、および出射面１５２ｂで屈折して、発光レンズ１２０の内側露出部に至る。ここで、ノブキャップ１３０に対するプッシュ操作によって、導光部１５０Ａが軸方向に摺動しても、光調整部１５２（入射面１５２ａ、出射面１５２ｂ）は、その摺動位置（摺動範囲）を考慮した軸方向の所定領域に設けられている。よって、導光部１５０Ａの摺動位置にかかわらず、発光レンズ１２０に対する光源部１６１からの光量が変化することがない。
【００６２】
また、光源部１６１からの光の一部は、輝度調整部１５３に至り、入射面１５３ａ、および出射面１５３ｂで屈折して、拡がりをもって第１意匠部１３１ｂに至る。そして、第１意匠部１３１ｂは、予め設定した所望の輝度（第１輝度）で発光する。
【００６３】
また、光源部１６１からの光の一部は、輝度調整部１５４に至り、入射面１５４ａ、および出射面１５４ｂで屈折して、拡がりをもって第２意匠部１３２ｂ、第３意匠部１３３ｂ、および第４意匠部１３４ｂに至る。そして、第２意匠部１３２ｂ、第３意匠部１３３ｂ、および第４意匠部１３４ｂは、予め設定した所望の輝度（第２輝度）で発光する。
【００６４】
尚、操作者が回転ノブ１１０を回転操作すると、回転ノブ１１０に連動して、ギヤ用筒部１１３のギヤ１１４が回転する。そして、ギヤ１１４に設けられた位置検出機構によって、回転ノブ１１０の回転位置が検出され、空調装置の制御部によって、この回転位置に応じた入力項目の設定値（例えば、設定温度）が変更される。
【００６５】
以上、本実施形態によれば、プッシュスイッチ１６３をオン、オフするためのスライダ部１５１を、導光部１５０Ａの一部を流用して形成するようにしているので、部品点数を増加させずに、回転操作機能に加えてプッシュ操作機能を持たせることができる。
【００６６】
そして、導光部１５０Ａに光調整部１５２を設けるようにしているので、プッシュ操作によって導光部１５０Ａが摺動しても、導光部１５０Ａの摺動位置にかかわらず、発光レンズ１２０に出射される光量を維持して、発光レンズ１２０の発光状態を一定に保つことができる。
【００６７】
また、光調整部１５２として、周壁１５０ａの内周面に所定の第１角度で傾斜する入射面１５２ａを設け、また周壁１５０ａの外周面に所定の第２角度で傾斜する出射面１５２ｂを設けることで、光調整部１５２を容易に形成することができる。
【００６８】
また、ノブキャップ１３０には、各意匠部１３１ｂ〜１３４ｂが設けられている。そして、導光部１５０Ａには、発光レンズ１２０の輝度に対して、各意匠部１３１ｂ〜１３４ｂの輝度を所定の輝度に設定する輝度調整部１５３、１５４が設けられている。これにより、発光レンズ１２０と各意匠部１３１ｂ〜１３４ｂとの輝度バランスを、所望の状態に設定することができる。
【００６９】
また、輝度調整部１５３、１５４は、複数種類の意匠部１３１ｂ〜１３４ｂに対して、所望の輝度（異なるの輝度）に設定するようになっている。これにより、各意匠部１３１ｂ〜１３４ｂ間の輝度バランスを所望の状態にすることができる。
【００７０】
例えば、発光レンズ１２０、および各意匠部１３１ｂ〜１３４ｂにおいて、発光レンズ１２０の輝度に対して、第１意匠部１３１ｂの輝度を同等にして、更に、第２意匠部１３２ｂ、第３意匠部１３３ｂ、および第４意匠部１３４ｂの輝度を多少低くする等の設定が可能である。これは、入力装置１００の全体における発光状態をデザインするにあたって、効果的、且つ見栄えのよいものとすることができる。
【００７１】
また、輝度調整部１５３、１５４は、光源部１６１からの光を屈折させて、各意匠部１３１ｂ〜１３４ｂ側に出射する屈折部、即ち、入射面１５３ａ、１５４ａ、および出射面１５３ｂ、１５４ｂによって形成されるようにしている。これにより、容易に輝度調整部１５３、１５４を形成することができる。
【００７２】
（第２実施形態）
第２実施形態の入力装置１００１を図９〜図１３に示す。第２実施形態は、上記第１実施形態に対して、輝度調整部１５３、１５４を輝度調整部１５３１、１５４１に変更し、導光部１５０Ａを導光部１５０Ｂとしたものである。
【００７３】
具体的には、輝度調整部１５３１、１５４１は、板面部１５５において光源部１６１からの光が入射する部位、および光源部１６１からの光が出射する部位の少なくとも一方に設けられたシボ１５３ｃ、１５４ｃによって形成されている。ここでは、シボ１５３ｃ、１５４ｃは、板面部１５５の光源部１６１からの光が入射する部位に設けられている。
【００７４】
シボ１５３ｃ、１５４ｃは、板面部１５５の表面に多数のしわのように形成された微細な凹凸であり、光源部１６１からの光量を調整して、各意匠部１３１ｂ〜１３４ｂにおける輝度が所定輝度となるように設けられている。各意匠部１３１ｂ〜１３４ｂの輝度は、シボ１５３ｃ、１５４ｃの凹凸の大きさ、凹凸が設けられる面積等によって、設定されることになる。
【００７５】
本実施形態においても、上記第１実施形態と同様の効果を得ることができる。加えて、本実施形態では、輝度調整部１５３１、１５４１を導光部１５０Ｂの板面部１５５にシボ１５３ｃ、１５４ｃによって形成するようにしているので、輝度調整部１５３１、１５４１を容易に形成することができる。
【００７６】
（第３実施形態）
第３実施形態の導光部１５０Ｃを図１４〜図１７に示す。第３実施形態は、上記第１実施形態に対して、輝度調整部１５３、１５４を輝度調整部１５３２、１５４Ａ、１５４Ｂに変更し、導光部１５０Ａを導光部１５０Ｃとしたものである。
【００７７】
輝度調整部１５３２は、光源部１６１側の面（入射面）が、凹レンズのごとく窪んで形成され、また、ノブキャップ１３０側の面（出射面）が、凸レンズのごとく膨らんで形成されている。輝度調整部１５３２の板厚は、全領域で一定となっている。
【００７８】
輝度調整部１５４Ａは、第２意匠部１３２ｂ、および第４意匠部１３４ｂの位置に対応した調整部であり、光源部１６１側に向けて板面部１５５から第１所定量、突出しており、また、ノブキャップ１３０側には、板面部１５５からの突出量がゼロとなっている。
【００７９】
また、輝度調整部１５４Ｂは、第３意匠部１３３ｂの位置に対応した調整部であり、光源部１６１側に向けて板面部１５５から第１所定量、突出しており、また、ノブキャップ１３０側に向けて板面部１５５から第２所定量、吐出している。
【００８０】
よって、輝度調整部１５４Ａの導光部１５０Ｃにおける軸線方向の寸法は、輝度調整部１５４Ｂの導光部１５０Ｃにおける軸線方向の寸法よりも短くなるように形成されている。輝度調整部１５４Ａの軸線方向の寸法は、板面部１５５に対して、ノブキャップ１３０側が短くなっている。
【００８１】
本実施形態では、例えば、第２意匠部１３２ｂが光源部１６１によって青色で発光され、また、第３意匠部１３３ｂが光源部１６１によって赤色で発光されるようになっている。このような場合、各意匠部１３２ｂ、１３３ｂにおける輝度が同一の設定であっても、操作者（人）の目に映る感覚としては、青色に発光する第２意匠部１３２ｂの方が、赤色に発光する第３意匠部１３３ｂよりも明るい感じに受け取られる。
【００８２】
よって、本実施形態のように、輝度調整部１５４Ａの軸線方向寸法を、輝度調整部１５４Ｂの軸線方向寸法よりも小さくすることで、第３意匠部１３３ｂよりも第２意匠部１３２ｂに対する光源部１６１からの光量を抑えることができる。そして、第２意匠部１３２ｂの実質的な輝度を第３意匠部１３３ｂよりも意図的に抑えて、発光色の異なるものにおいて、第２意匠部１３２ｂと第３意匠部１３３ｂとの見た目の明るさのバランスをとることが可能となる。
【００８３】
尚、上記では、各意匠部１３２ｂ、１３３ｂの発光色の違いによる操作者の見た目の感覚に対応するように、輝度調整部１５４Ａ、１５４Ｂを設定する旨を説明した。しかしながら、例えば、複数の意匠部（１３２ｂ、１３３ｂ）が同一の発光色であり、各意匠部の目的からして、発光輝度の差を意図的に持たせたい場合にも、本実施形態を用いることができる。
【００８４】
（第４実施形態）
第４実施形態の入力装置（入力部１００Ｂ）、および導光部１５０Ｄを図１８〜図２２に示す。第４実施形態は、上記第３実施形態に対して、光源部１６１ａを増設し、輝度調整部１５４Ａ、１５４Ｂに輝度調整部１５４Ｍを追加して、導光部１５０Ｃを導光部１５０Ｄとしたものである。
【００８５】
光源部１６１ａは、光源部１６１と同様に、基板１０２に設けられており、図１８に示すように、第４意匠部１３４ｂの位置に対応するように配置されている。
【００８６】
輝度調整部１５４Ｍは、第４意匠部１３４ｂの位置に対応した調整部であり、光源部１６１ａ側に向けて輝度調整部１５４Ａから第３所定量、突出しており、また、ノブキャップ１３０側に向けて輝度調整部１５４Ａ（板面部１５５）から第４所定量、吐出している。
【００８７】
よって、輝度調整部１５４Ｍの導光部１５０Ｄにおける軸線方向の寸法は、輝度調整部１５４Ａの導光部１５０Ｄにおける軸線方向の寸法よりも長くなるように形成されている。
【００８８】
本実施形態では、光源部１６１に対して光源部１６１ａを追加すると共に、輝度調整部１５４Ｍの軸方向長さを輝度調整部１５４Ａの軸方向長さよりも長くしている。よって、第４意匠部１３４ｂの輝度を、第２意匠部１３２ｂの輝度よりも意図的に高くすることができる。ここで、第２意匠部１３２ｂは、光源部１６１と光源部１６１ａとの２つの光源部によって発光されるため、第２意匠部１３２ｂの輝度が、第３意匠部１３３ｂの輝度よりも高くなってしまう。しかしながら、上記第３実施形態と同様に、輝度調整部１５４Ａの軸方向長さを輝度調整部１５４Ｂの軸方向長さよりも短くすることで、第２意匠部１３２ｂの輝度と、第３意匠部１３３ｂの輝度とを同等にバランスさせることが可能となっている。
【００８９】
（その他の実施形態）
上記各実施形態では、導光部１５０Ａ〜１５０Ｄに光調整部１５２、および輝度調整部１５３、１５３１、１５３２、１５４、１５４１、１５４Ａ、１５４Ｂ、１５４Ｍを設けるものとした。しかしながら、本発明における必須要件は、最低限、光調整部１５２を備えるものであり、輝度調整部１５３、１５３１、１５３２、１５４、１５４１、１５４Ａ、１５４Ｂ、１５４Ｍを廃止したものとしてもよい。
【００９０】
また、光調整部１５２は、それぞれの角度で傾斜する入射面１５２ａ、および出射面１５２ｂによって形成されるものとしたが、他の形状等を用いたものとしてもよい。
【００９１】
また、輝度調整部１５３、１５３１、１５３２、１５４、１５４１、１５４Ａ、１５４Ｂ、１５４Ｍは、発光レンズ１２０に対して、複数種類の意匠部１３１ｂ〜１３４ｂの輝度が異なるように設定するものとしたが、同一の輝度となるようにしてもよい。
【００９２】
また、本入力装置１００を車両用の空調装置の入力部に適用した例を示したが、これに限らず、オーディオ機器のオンオフおよびボリュームを設定するための入力部、ラジオのオンオフおよび周波数を設定するための入力部等、回転操作およびプッシュ操作による入力を行うものに広く適用可能である。
【符号の説明】
【００９３】
１００、１００１  入力装置
１１０  回転ノブ
１２０  発光レンズ
１３０  ノブキャップ
１３１ｂ  第１意匠部（意匠部、複数種類の意匠部）
１３２ｂ  第２意匠部（意匠部、複数種類の意匠部）
１３３ｂ  第３意匠部（意匠部、複数種類の意匠部）
１３４ｂ  第４意匠部（意匠部、複数種類の意匠部）
１５０Ａ〜１５０Ｄ  導光部
１５０ａ  周壁
１５１  スライダ部
１５２  光調整部
１５２ａ  入射面
１５２ｂ  出射面
１５３、１５４  輝度調整部
１５３ａ、１５４ａ  入射面（屈折部）
１５３ｂ、１５４ｂ  出射面（屈折部）
１５３ｃ、１５４ｃ  シボ
１６１  光源部
１６３  プッシュスイッチ
【図１】
2017112096.tif 000003
【図２】
2017112096.tif 000004
【図３】
2017112096.tif 000005
【図４】
2017112096.tif 000006
【図５】
2017112096.tif 000007
【図６】
2017112096.tif 000008
【図７】
2017112096.tif 000009
【図８】
2017112096.tif 000010
【図９】
2017112096.tif 000011
【図１０】
2017112096.tif 000012
【図１１】
2017112096.tif 000013
【図１２】
2017112096.tif 000014
【図１３】
2017112096.tif 000015
【図１４】
2017112096.tif 000016
【図１５】
2017112096.tif 000017
【図１６】
2017112096.tif 000018
【図１７】
2017112096.tif 000019
【図１８】
2017112096.tif 000020
【図１９】
2017112096.tif 000021
【図２０】
2017112096.tif 000022
【図２１】
2017112096.tif 000023
【図２２】
2017112096.tif 000024